(57)【要約】【課題】部材点数が少なくてすむとともに、製作や管理が容易となり、取り付け作業性の向上を図ることができるファサードを備えたユニット式建物を提供する。【解決手段】建物ユニット３，４が、複数本の柱と、これらの柱の上端間同士を結合する天井梁と、柱の下端間同士を結合する床梁とを含み形成されたフレームを有して形成され、これらの建物ユニット３，４を組み合わせて建てられたユニット式建物１がファサード５を備えている。そして、複数の建物ユニット３，４のうち少なくとも一つの建物ユニットを、ファサード５が構成されたファサード建物ユニット６，７とする。【選択図】  図１
2005016052.tif 000002
【特許請求の範囲】
【請求項１】
複数本の柱と、これらの柱の上端間同士を結合する天井梁および下端間同士を結合する床梁とを含み形成されたフレームを有する建物ユニットを複数組み合わせて建てられるとともに、ファサードを備えたユニット式建物において、
前記複数の建物ユニットのうち少なくとも一つは、前記ファサードが構成されたファサード建物ユニットとなっていることを特徴とするファサードを備えたユニット式建物。
【請求項２】
請求項ｌに記載のファサードを備えたユニット式建物において、前記ファサードは、前記ファサード建物ユニットの上部または下部の一部が開口部とされ、かつ一方側側面から他方側側面に向かって凹んで形成された凹み部を含み構成されていることを特徴とするファサードを備えたユニット式建物。
【請求項３】
請求項２に記載のファサードを備えたユニット式建物において、前記ファサード建物ユニットは、それぞれ前記凹み部同士を連続させて上下方向に対向配置されていることを特徴とするファサードを備えたユニット式建物。
【請求項４】
請求項２または請求項３に記載のファサードを備えたユニット式建物において、
前記ファサード建物ユニットの前記凹み部は、当該ファサード建物ユニットの一方側側面に、その幅方向両側の端部側面を残して幅方向中央部に形成され、この幅方向中央部の凹み部幅寸法は、前記端部側面の幅寸法に対して略３倍〜１０倍の範囲内に収まっていることを特徴とするファサードを備えたユニット式建物。
【請求項５】
請求項２または請求項３に記載のファサードを備えたユニット式建物において、前記ファサード建物ユニットは、前記凹み部の向きを同じとして上下方向に配置されていることを特徴とするファサードを備えたユニット式建物。
【請求項６】
請求項２に記載のファサードを備えたユニット式建物において、前記ファサード建物ユニットは上下左右に２個づつ隣接して配置され、各ファサード建物ユニットの前記凹み部は、当該ファサード建物ユニットの一方側側面に、その幅方向一端側から他端側に至る途中までにわたるとともに上方に平面部を残して形成され、前記凹み部同士を連続させて配置されていることを特徴とするファサードを備えたユニット式建物。
【請求項７】
請求項１ないし請求項６のいづれかに記載のファサードを備えたユニット式建物において、
前記凹み部は、前記ファサード建物ユニットの長辺方向に形成されていることを特徴とするファサードを備えたユニット式建物。
【発明の詳細な説明】
【０００１】
【発明の属する技術分野】
本発明は、柱、梁を含むフレームを有して形成される複数の建物ユニットを組み合わせて建てられるとともに、装飾的な仕上げが施されたファサードを備えたユニット式建物に関する。
【０００２】
【背景技術】
四隅に立設される柱と、これらの柱の上端間同士を結合する天井梁と、柱の下端間同士を結合する床梁とを含み構成されたフレームを備え、予め工場で生産された箱形の建物ユニットを複数個、建設現場で、上下および水平方向に組み合わせて建てられたユニット式建物が知られている（例えば特許文献１）。
このようなユニット式建物は、複数個の箱形の建物ユニットを組み合わせて建てられるため、外観が変化に乏しく、単調になりがちである。そこで、ユニット式建物の正面、例えば玄関に至る部分に、建物の正面構成物として、装飾的な仕上げが施されたファサードを設け、建物全体に変化をもたせようとすることが行われる。
【０００３】
従来のファサードを備えたユニット式建物は、例えば図８に示すような構成となっている。
すなわち、ユニット式建物８０は、複数の略箱形の下階建物ユニット８１および上階建物ユニット８２と、これらの建物ユニット８１，８２の例えば正面に装着されるファサード８５とを備えて構成されている。
ファサード８５は、例えば装飾的な仕上げが施されるとともに建物の正面を構成する正面構成物である。このファサード８５は、例えば門形に形成されており、左右に離れて配置される柱部８６と、これらの柱部８６の上端部に設けられる庇部８７とを備えて構成されている。柱部８６は、下階建物ユニット８１の高さ寸法とほぼ等しい下柱８６Ａと、上階建物ユニット８２の高さの途中までの高さ寸法の上柱８６Ｂとを含み構成されている。そして、このような下柱８６Ａおよび上柱８６Ｂが、隣接する下階建物ユニット８１のそれぞれ外側寄りに設けられてユニット式建物８０の正面が構成されている。
【０００４】
これに対して庇部８７は、上階建物ユニット８２の長辺寸法とほぼ等しい長さ寸法に形成され、隣接する上階建物ユニット８２にそれぞれ対応して設けられている。これらの柱部８６、および庇部８７は、現場において、それぞれ下階建物ユニット８１、上階建物ユニット８２に装着され、これらの下階建物ユニット８１、上階建物ユニット８２、柱部８６および庇部８７とで空間部（凹み部）Ａが形成されている。つまり、前記ファサード８５は、ユニット式建物８０の正面から奥側に凹んだ状態となっている。
なお、ファサード８５の柱部８６および庇部８７には、所定の装飾が施されている。
【０００５】
【特許文献１】
特開平１１−２１００８５号公報。
【０００６】
【発明が解決しようとする課題】
しかし、前記従来のファサード８５を備えたユニット式建物８０では、ファサード８５が、柱部８６および庇部８７で構成され、これらの柱部８６、庇部８７も、それぞれ細分化されており、部材点数が増えるという問題が生じている。
また、大きさや形状が異なった複数の部材で構成されているので、製作や管理が煩雑となり、また、建設現場への運搬も部材点数が多いために面倒である。
さらに、ファサード８５の各部材８６，８７を、建設現場で建物ユニット８１，８２へ取り付ける際も、部材点数が多いために、全部を取り付けるのに多くの人手や手間がかかるという問題がある。特に、ファサード８５の各部材８６，８７の一つを取り付けた後、次の部材を取り付けるとき、先に取り付けたものと位置を決めながら連結する等、多くの手間がかかり、取り付け作業性が悪い。
【０００７】
本発明の目的は、部材点数が少なくてすむとともに、製作や管理が容易となり、取り付け作業性の向上を図ることができるファサードを備えたユニット式建物を提供することにある。
【０００８】
【課題を解決するための手段】
請求項１に記載の発明は、図面を参照して説明すると、図１に示すように、複数本の柱と、これらの柱の上端間同士を結合する天井梁と、前記柱の下端間同士を結合する床梁とを含み形成されたフレームを有する複数の建物ユニット３，４を組み合わせて建てられるとともに、ファサード５を備えたユニット式建物１において、前記複数の建物ユニットのうち少なくとも一つの建物ユニットは、前記ファサード５が構成されたファサード建物ユニット６，７となっていることを特徴とするファサードを備えたユニット式建物１である。
【０００９】
このような本発明によれば、ユニット式建物を構成する複数の建物ユニットのうちの少なくとも一つがファサード建物ユニットとなっており、このファサード建物ユニットにファサードが構成されているので、ユニット式建物を建てる際、他の下階建物ユニット、上階建物ユニット等と組み合わせるだけで、ユニット式建物にファサードを設けることができる。従って、ファサードを構成するのにファサード建物ユニットを用いればよいので、ファサードを作るための複数の部材が不要となって部材点数が少なくてすむとともに、製作や管理が容易となり、取り付け作業性の向上を図ることができる。
【００１０】
以上の本発明において、ファサードとは、建物の正面を構成する正面構成物をいい、この正面構成物は、装飾的な仕上げが施されていることが好ましいが、例えば、打放しのコンクリート等で構成されていてもよい。
【００１１】
請求項２に記載の発明は、図１に示すように、請求項ｌに記載のファサードを備えたユニット式建物において、前記ファサード５は、前記ファサード建物ユニット６，７の上部または下部の一部が開口部とされ、かつ一方側側面から他方側側面に向かって凹んで形成された凹み部Ａ，Ｂを含み構成されていることを特徴とするものである。
【００１２】
このような本発明によれば、ファサード建物ユニットに凹み部が形成され、この凹み部を仕切部材等で仕切るとともに、仕切部材等に装飾を施し、凹み部の奥の方に例えば玄関を設ければ、建物の入り口から玄関までに至る部位を、例えば門形になった通路とすることができ、外観の変化に富んだユニット式建物とすることができる。
【００１３】
請求項３に記載の発明は、図１に示すように、請求項２に記載のファサードを備えたユニット式建物において、前記ファサード建物ユニット６，７は、それぞれ、前記凹み部Ａ，Ｂ同士を連続させて上下方向に対向配置されていることを特徴とするものである。
【００１４】
このような本発明によれば、１階のファサード建物ユニットの凹み部と２階のファサード建物ユニットの凹み部同士を連続させて、１階のファサード建物ユニットと２階のファサード建物ユニットとが上下方向に対向配置されるので、上下方向に高さの高い空間を形成することができ、見た目に豪華な感じのファサードを形成することができる。
【００１５】
請求項４に記載の発明は、図４，５に示すように、請求項２または請求項３に記載のファサードを備えたユニット式建物において、前記ファサード建物ユニット６，７の前記凹み部Ａ，Ｂは、当該ファサード建物ユニット６，７の一方側側面に、その幅方向両側の端部側面６Ａ，７Ａを残して幅方向中央部に形成され、この幅方向中央部の凹み部幅寸法Ｌ１は、前記端部側面６Ａ，７Ａの幅寸法Ｌ２に対して略３倍〜１０倍の範囲内に収まっていることを特徴とするものである。
【００１６】
このような本発明によれば、ファサード建物ユニット中央部に、幅方向両側の端部側面を残して形成れた凹み部は、端部側面の幅寸法に対して略３倍〜１０倍の大きさに形成されているので、凹み部の幅寸法が大きくなり、その結果、見た目に豪華な感じのファサードを形成することができる。
【００１７】
請求項５に記載の発明は、図６に示すように、請求項２または請求項３に記載のファサードを備えたユニット式建物において、前記ファサード建物ユニット４６，４７は、前記凹み部Ｂの向きを同じとして上下方向に配置されていることを特徴とするものである。
【００１８】
このような本発明によれば、上下方向に異なった趣のファサードを構成することができ、より変化に富んだ外観のユニット式建物とすることができる。
【００１９】
請求項６に記載の発明は、図７に示すように、請求項２に記載のファサードを備えたユニット式建物において、前記ファサード建物ユニット５６Ａ，５６Ｂ、５７Ａ，５７Ｂは上下左右に２個づつ隣接して配置され、各ファサード建物ユニット５６Ａ，５６Ｂ、５７Ａ，５７Ｂの前記凹み部Ａ，Ｂは、当該ファサード建物ユニット５６Ａ，５６Ｂ、５７Ａ，５７Ｂの一方側側面に、その幅方向一端側から他端側に至る途中までにわたるとともに、上方に平面部５７Ｃを残して形成され、前記凹み部Ａ，Ｂ同士を連続させて配置されていることを特徴とするものである。
【００２０】
このような本発明によれば、隣接するファサード建物ユニットにわたる大きさの凹み部を形成することができる。そのため、敷地等の関係で、長辺方向の寸法が制限されるようなファサード建物ユニットを使用してユニット式建物を建てる際でも、凹み部の幅寸法を大きく形成することができ、見た目に豪華な感じのファサードを形成することができ、かつ変化に富んだユニット式建物とすることができる。
【００２１】
請求項７に記載の発明は、図１，６，７に示すように、請求項１ないし請求項６のいづれかに記載のファサードを備えたユニット式建物において、前記凹み部Ａ，Ｂは、前記ファサード建物ユニット６，７の長辺方向に形成されていることを特徴とするものである。
【００２２】
このような本発明によれば、長辺方向の寸法が短いものでも、１個のファサード建物ユニットで幅の広いファサードを形成することができる。
【００２３】
【発明の実施の形態】
以下に、本発明のユニット式建物の実施形態を図面に基づいて説明する。
図１，２には、第１実施形態のユニット式建物１の全体が示されている。このユニット式建物１は、例えばベタ基礎２の上に平面コ字状に設置される複数（８個）の下階建物ユニット３と、これらの下階建物ユニット３の上に載置される複数（８個）の上階建物ユニット４と、この平面コ字状の開口部位置、かつ下階および上階に設置される１個の下階ファサード建物ユニット６および上階ファサード建物ユニット７とを備えて構成されている。従って、下階ファサード建物ユニット６と上階ファサード建物ユニット７とは、ユニット式建物１の長さ方向中央部の前面に配置されていることになる。
そして、下階ファサード建物ユニット６と上階ファサード建物ユニット７とで、建物の正面を構成しかつ所定の装飾的な仕上げが施されたファサード５が形成されている。
【００２４】
このような下階ファサード建物ユニット６には、左右方向両側にそれぞれ端部側面６Ａを残して長辺方向中央部に、一方側（図１の斜め左側）側面から、他方側（図１の斜め右側）側面に向かい、かつ上方が開口部となって凹んだ空間部（凹み部）Ａが形成されている。
また、上階ファサード建物ユニット７には、一方側（図１の斜め左側）側面から、他方側（図１の斜め上側）側面に向かい、かつ下方が開口部となって凹んだ空間部（凹み部）Ｂが形成されている。さらに、上階ファサード建物ユニット７の一方側側面上部には、所定幅に形成された上部側面７Ｂが形成されている。
【００２５】
従って、ユニット式建物１において、下階ファサード建物ユニット６と上階ファサード建物ユニット７とを上下に組み合わせたとき、ユニット式建物１には、上下に連続する凹み部Ａ，Ｂが形成されていることになる。このような凹み部Ａ，Ｂを形成する側面には、それぞれ仕切部材９が張り付けられ、これらの仕切部材９には、所定の装飾仕上げが施されている。
【００２６】
そして、ここにおいて、上記端部側面６Ａ，７Ａ、上部側面７Ｂ、および仕切部材９が張り付けられた凹み部Ａ，Ｂを含み前記ファサード５が構成されている。
また、ファサード５には、下階ファサード建物ユニット６の床面に、例えばバリアフリーの状態で連続するウッドデッキ３０が設けられ、その一端に形成された階段３１からも庭に出入りできるようになっている。
なお、ユニット式建物１の凹み部Ａの奥には、例えば玄関３２が設けられている。
【００２７】
ここで、ユニット式建物１を構成する下階建物ユニット３、および上階建物ユニット４は、図３に示すような構成となっている。
すなわち、両建物ユニット３，４とも、四隅に立設される４本の柱１０と、これらの柱１０の上端間同士を、上部仕口１１を介して結合する各４本の天井梁１２と、柱１０の下端間同士を、下部仕口１３を介して結合する各４本の床梁１４とで構成されるフレーム１５を備え、略箱形に形成されている。
【００２８】
天井梁１２は、各２本ずつの長辺天井梁１２Ａ、短辺天井梁１２Ｂで形成されている。長辺天井梁１２Ａ間には、多数本の天井小梁１６が架けわたされ、これらの天井小梁１６に所定の天井面材を取り付けて天井が形成されている。
また、床梁１４は、各２本ずつの長辺床梁１４Ａ、短辺床梁１４Ｂで形成されている。長辺床梁１４Ａ間には、多数本の根太１７が架けわたされ、これらの根太１７に所定の床面材を取り付けて床が形成されている。
【００２９】
前記下階ファサード建物ユニット６は、図４に示す構成となっている。
すなわち、下階ファサード建物ユニット６は、四隅に立設される４本の前記柱１０と、これらの柱１０の上端間同士を、前記上部仕口１１を介して結合する天井梁１２と、柱１０の下端間同士を、前記下部仕口１３を介して結合する４本の前記床梁１４とで構成されるフレーム２５を備えて形成されている。
【００３０】
天井梁１２は、１本の長辺天井梁１２Ａと、２本の短辺天井梁１２Ｂと、長辺天井梁１２Ａと平行な長さ寸法Ｌ２の２本の第１長辺天井梁１２Ｃと、これらの第１長辺天井梁１２Ｃと平行、かつ長辺天井梁１２Ａ側に所定寸法Ｌ３だけ離れた位置に設けられる長さ寸法Ｌ１の１本の第２長辺天井梁１２Ｄとを備えて形成されている。そして、長さ寸法Ｌ２は、前記端部側面６Ａの幅寸法であり、長さ寸法Ｌ１は、前記凹み部Ａの幅寸法である。
【００３１】
第１長辺天井梁１２Ｃは、長辺天井梁１２Ａが結合された柱１０と対向する柱１０と、この柱１０から長辺方向に長さ寸法Ｌ２離れた位置に立設された第１中間柱２０との上端間に架けわたされている。また、第２長辺天井梁１２Ｄは、２本の中間上梁２２間に架けわたされており、これらの中間上梁２２は、前記第１中間柱２０と、下階ファサード建物ユニット６の短辺方向において第１中間柱２０の対向位置に配置された第２中間柱２１とにわたって架けわたされている。
【００３２】
ここで、第１長辺天井梁１２Ｃの長さ寸法Ｌ２と、第２長辺天井梁１２Ｄの長さ寸法Ｌ１との関係について説明する。
これらの寸長さ法Ｌ２、Ｌ１は、第１実施形態では、長さ寸法Ｌ１が長さ寸法Ｌ２の約３倍〜約１０倍の範囲に収まるように設定されることが好適である。
すなわち、長さ寸法Ｌ２、Ｌ１は、下階ファサード建物ユニット６の長辺寸法Ｌが変わるに連れて変化するように設定されている。下階ファサード建物ユニット６の長辺寸法Ｌが、例えば４モジュール（Ｍ）である場合、長さ寸法Ｌ２を例えば０．５Ｍに設定すると、長さ寸法Ｌ１は３Ｍとなる。
【００３３】
下階ファサード建物ユニット６の長辺寸法Ｌが、例えば５モジュール（Ｍ）である場合、長さ寸法Ｌ２を例えば０．５Ｍに設定すると、長さ寸法Ｌ１は４Ｍとなり、長さ寸法Ｌ２を例えば１Ｍに設定すると、長さ寸法Ｌ１は３Ｍとなる。
また、下階ファサード建物ユニット６の長辺寸法Ｌが、例えば６モジュール（Ｍ）である場合、長さ寸法Ｌ２を例えば０．５Ｍに設定すると、長さ寸法Ｌ１は５Ｍとなり、長さ寸法Ｌ２を例えば１Ｍに設定すると、長さ寸法Ｌ１は４Ｍとなる。
【００３４】
なお、モジュール（Ｍ）とは、予め決められた建物ユニットの製作基準値であり、１Ｍは例えば９１０ｍｍとされている。しかし、この数値は９１０ｍｍに限らず、例えば９００ｍｍ、１０００ｍｍ等、任意に設定することができる。
従って、１Ｍが例えば９１０ｍｍとされ、下階ファサード建物ユニット６の長辺寸法Ｌが６Ｍのものを使用した場合で、寸法Ｌ２を例えば１Ｍとすれば、下階ファサード建物ユニット６の両側に９１０ｍｍ幅の端部側面６Ａが形成され、中央部に３６４０ｍｍ幅の凹み部Ａが形成されることになる。
【００３５】
前述のように、第２長辺天井梁１２Ｄは、第１長辺天井梁１２Ｃから長辺天井梁１２側に所定寸法Ｌ３だけ入り込んだ位置に設けられている。また、第２長辺天井梁１２Ｄと長辺天井梁１２間には、短い寸法の天井小梁２６が架けわたされている。
そして、２本の中間上梁２２の所定寸法Ｌ３の部分と、第２長辺天井梁１２Ｄと、床梁１４および根太１７とで、平面下階ファサード建物ユニット６の前記上方が開口部とされた凹み部Ａが形成されるとともに、この凹み部Ａの周囲には前述のように仕切部材９が設けられている。
【００３６】
前記上階ファサード建物ユニット７は、図５に示す構成となっている。
この上階ファサード建物ユニット７は、前記下階ファサード建物ユニット６を上下方向に勝手違いに形成したものである。従って、上階ファサード建物ユニット７は、下階ファサード建物ユニット６とほぼ同じ構成となっているので、下階ファサード建物ユニット６と同一部材には同一符号を付し、それらの詳細な説明は省略または簡略化し、以下には異なる部分のみ説明する。
【００３７】
この上階ファサード建物ユニット７は、前記下階ファサード建物ユニット６の上に載せられるため、床部側が開口部となって凹み部Ｂが形成されている。
上階ファサード建物ユニット７は、前記４本の柱１０と、これらの柱１０の上端間同士を結合する４本の前記天井梁１２と、柱１０の下端間同士を結合する床梁１４とで構成されるフレーム３５を備えて形成されている。
【００３８】
床梁１４は、１本の長辺床梁１４Ａと、２本の短辺床梁１４Ｂと、長辺床梁１４Ａと平行な長さ寸法Ｌ２の２本の第１長辺床梁１４Ｃと、これらの第１長辺床梁１４Ｃと平行、かつ長辺床梁１４Ａ側に所定寸法Ｌ３だけ離れた位置に設けられる長さ寸法Ｌ１の１本の第２長辺床梁１４Ｄとを備えて形成されている。そして、幅寸法Ｌ２は、前記端部側面７Ａの幅寸法であり、長さ寸法Ｌ１は、前記凹み部Ａの幅寸法である。
【００３９】
第１長辺床梁１４Ｃは、長辺床梁１４Ａが結合された柱１０と対向する柱１０と、この柱１０から長辺方向に長さ寸法Ｌ２離れた位置に立設された前記第１中間柱２０との下端間に架けわたされている。また、第２長辺床梁１４Ｄは、２本の中間下梁３２間に架けわたされており、これらの中間下梁３２は、前記第１中間柱２０と、上階ファサード建物ユニット７の短辺方向において第１中間柱２０の対向位置された第２中間柱２１とにわたって架けわたされている。
【００４０】
前述のように、第２長辺床梁１４Ｄは、第１長辺床梁１４Ｃから長辺床梁１４側に所定寸法Ｌ３だけ入り込んだ位置に設けられている。また、第２長辺床梁１４Ｄと長辺床梁１４間には、短い寸法の根太２７が架けわたされている。
つまり、２本の第１長辺床梁１４Ｃ、１本の第２長辺床梁１４Ｄ、および２本の中間下梁３２は、前記下階ファサード建物ユニット６の２本の第１長辺天井梁１２Ｃ、１本の第２長辺天井梁１２Ｄ、および２本の中間上梁２２と、それぞれ対向配置している。
【００４１】
そして、２本の中間下梁３２の所定寸法Ｌ３の部分と、第２長辺床梁１４Ｄと、天井梁１２および天井小梁１６とで、上階ファサード建物ユニット７の前記下方が開口部とされた凹み部Ｂが形成されるとともに、この凹み部Ｂの周囲には前記仕切部材９が設けられている。この仕切部材９と、前記下階ファサード建物ユニット６の凹み部Ａの仕切部材９とは、現場において上下方向に連続して設けられるようになっている。
【００４２】
次に、以上のようなユニット式建物１の施工方法を説明する。
まず、基礎２の上に所定の下階建物ユニット３を順次設置するとともに、ユニット式建物１の前面、かつ中央部に下階ファサード建物ユニット６を設置し、それらを図示しないシアプレート等で連結する。
次いで、それぞれの下階建物ユニット３の上に上階建物ユニット４を載せるとともに、下階ファサード建物ユニット６の上に上階ファサード建物ユニット７を載せ、それぞれのユニット６，７を結合させた後、当該ユニット６，７の凹み部Ａ，Ｂの仕切部材９，９同士を連続させる。
【００４３】
このような実施形態によれば、次のような効果がある。
（１）  ユニット式建物１を構成する複数の建物ユニットのうちの少なくとも一つが下階および上階ファサード建物ユニット６，７となっており、これらのファサード建物ユニット６，７にファサード５が構成されているので、ユニット式建物１を建てる際、下階および上階ファサード建物ユニット６，７と他の下階建物ユニット３、上階建物ユニット４等とを組み合わせるだけで、ユニット式建物１にファサード５を設けることができる。従って、ファサード５を構成するのにファサード建物ユニット６，７を用いればよいので、ファサード用の複数の部材が不要となって部材点数が少なくてすむとともに、製作や管理が容易となり、取り付け作業性の向上を図ることができる。
【００４４】
（２）  下階および上階ファサード建物ユニット６，７に凹み部Ａ，Ｂが形成されテファサード５が構成されるので、この凹み部Ａ，Ｂを仕切部材９で仕切り、仕切部材９に装飾を施し、凹み部Ａ，Ｂの奥の方に例えば玄関３２を設ければ、建物の入り口から玄関までに至る部位を、例えば門形になった通路とすることができ、外観の変化に富んだユニット式建物１とすることができる。
【００４５】
（３）  下階ファサード建物ユニット６の凹み部Ａと上階ファサード建物ユニット７の凹み部７Ｂ同士を連続させて、下階ファサード建物ユニット６と上階ファサード建物ユニット７とが上下方向に対向配置されるので、上下方向に高さの高い空間を形成することができ、見た目に豪華な感じのファサード５を形成することができる。
【００４６】
（４）  下階および上階ファサード建物ユニット６，７の中央部に形成れた凹み部Ａ，Ｂの幅寸法は、それぞれ、幅方向両側の端部側面６Ａ，７Ａの幅寸法に対して略３倍〜１０倍の大きさに形成されているので、凹み部Ａ，Ｂの幅寸法を大きく形成することができ、見た目に豪華な感じのファサード５を形成することができる。
【００４７】
次に、図６に基づいて、本発明の第２実施形態を説明する。
本実施形態のユニット式建物４１は、その下階と上階とに、それぞれ別個のファサード４５Ａ，４５Ｂが設けられているものである。
この実施形態において、前記第１実施形態の構成部材と同一部材には同一符号を付し、その詳細な説明は省略または簡略化する。
【００４８】
前記ファサード４５Ａは、そのフレーム構造が前記第１実施形態の上階ファサード建物ユニット７のフレーム構造とほぼ同じとなった下階ファサード建物ユニット４６により構成されている。
すなわち、下方が開口部とされた凹み部Ｂを有し、この凹み部Ｂには仕切部材９が設けられ、また、前記玄関、前記ウッドデッキ３０が設けられている。
また、前記ファサード４５Ｂも、そのフレーム構造が前記第１実施形態の上階ファサード建物ユニット７のフレーム構造とほぼ同じとなった上階ファサード建物ユニット４７により構成されている。しかし、この上階ファサード建物ユニット４７では、その凹み部Ｂがインナーバルコニ４８となっている。そして、このインナーバルコニ４８は、上階建物ユニット４の室内から出入りできるようになっている。
【００４９】
以上のような第２実施形態によれば、前記第２実施形態と同様な作用、および前記（１）  、（２）  、（４）  と同様な効果がある他、
（５）  下階ファサード建物ユニット４６と、上階ファサード建物ユニット４７とが、それぞれの凹み部Ｂの向きを同じとして上下方向に配置されているので、上下方向に異なった趣のファサード４５Ａ，４５Ｂを構成することができ、より変化に富んだ外観のユニット式建物とすることができる。
【００５０】
次に、図７に基づいて、本発明の第３実施形態を説明する。
この第３実施形態において、前記第１，２実施形態の構成部材と同一部材には同一符号を付し、その詳細な説明は省略または簡略化する。
本実施形態のユニット式建物５１は、複数個の下階建物ユニット３および上階建物ユニット４を組み合わせるとともに、建物５１の正面に、左右方向に２つの下階ファサード建物ユニット５６Ａ，５６Ｂを隣接させるとともに、これらの下階ファサード建物ユニット５６Ａ，５６Ｂの上に、互いに隣接する２つの上階ファサード建物ユニット５７Ａ，５７Ｂを載せて構成されている。
そして、下階ファサード建物ユニット５６Ａ，５６Ｂおよび上階ファサード建物ユニット５７Ａ，５７Ｂによりユニット式建物５１のファサード５５が形成されている。
【００５１】
この第３実施形態では、下階ファサード建物ユニット５６Ａ，５６Ｂ、および上階ファサード建物ユニット５７Ａ，５７Ｂは、それぞれ左右方向に勝手違いに形成され、下階ファサード建物ユニット５６Ａ，５６Ｂと上階ファサード建物ユニット５７Ａ，５７Ｂとは、それぞれ上下方向に勝手違いに形成されている。
下階ファサード建物ユニット５６Ａ，５６Ｂの骨組みは、建物の前方側の天井梁の一部が、幅寸法Ｌ２の端部側面５６Ｄから所定寸法Ｌ３だけ奥側に後退した位置に設けられた構成となっており、正面視Ｌ字状となっている。なお、上部には、上部側面５７Ｃが形成されている。
また、上階ファサード建物ユニット５７Ａ，５７Ｂの骨組みは、前述のように、下階ファサード建物ユニット５６Ａ，５６Ｂの骨組みと上下方向に勝手違いに形成されており、端部側面５７Ｄを有して正面視Ｌ字状となっている。
【００５２】
そして、下階ファサード建物ユニット５６Ａ，５６ＢのＬ字の内側部が凹み部Ａとなっており、上階ファサード建物ユニット５７Ａ，５７ＢのＬ字の内側部が凹み部Ｂとなっている。従って、本実施形態のユニット式建物５１では、凹み部Ａと凹み部Ｂとが連続し、広い空間が形成されている。また、凹み部Ａと凹み部Ｂの内周には仕切部材９，９が連続して設けられている。
なお、凹み部Ａ、Ｂの幅寸法Ｌ４は、端部側面５６Ｄ、５７Ｄの幅寸法Ｌ２の３倍〜１０倍の範囲内に収まるように設定されている。
【００５３】
以上のような第３実施形態によれば、前記第１，２実施形態と同様な作用、および前記（１）  、（２）  、（４）  と同様な効果がある他、
（６）  隣接する下階ファサード建物ユニット５６Ａ，５６Ｂ、および上階ファサード建物ユニット５７Ａ，５７Ｂにわたる大きさの凹み部Ａ，Ｂを形成することができる。そのため、敷地等の関係で、建物全体の長辺方向の寸法が制限されるような場合で、長辺寸法が短い建物ユニットしか使えないときでも、凹み部Ａ，Ｂの幅寸法を大きく形成することができ、見た目に豪華な感じのファサード５５を形成することができ、変化に富んだユニット式建物とすることができる。
【００５４】
なお、本発明は前記各実施形態に限定されるものではなく、本発明の目的を達成できるものであれば、次のような変形形態でもよいものである。
例えば、前記第１実施形態では、ユニット式建物１のそれぞれの下階ファサード建物ユニット６および上階ファサード建物ユニット７が、両側の下階建物ユニット３、および上階建物ユニット４に挟まれて配置されているが、下階ファサード建物ユニット６および上階ファサード建物ユニット７の配置はこれに限らない。右側または左側に下階ファサード建物ユニット６および上階ファサード建物ユニット７を配置してもよい。
【００５５】
また、前記第１実施形態では、ユニット式建物１のそれぞれの下階ファサード建物ユニット６、および上階ファサード建物ユニット７における両側の端部側面６Ａ，７Ａの幅寸法Ｌ２が同じ寸法に設定されていたが、これに限らない。左右両側の幅寸法Ｌ２を左右で違う寸法に設定してもよい。
【００５６】
さらに、前記第２実施形態では、ユニット式建物４１のそれぞれの下階ファサード建物ユニット４６および上階ファサード建物ユニット４７が、両側の下階建物ユニット３、および上階建物ユニット４に挟まれて配置されているが、下階ファサード建物ユニット４６および上階ファサード建物ユニット４７の配置はこれに限らない。前記変形形態と同じように、右側または左側に下階ファサード建物ユニット４６および上階ファサード建物ユニット４７を配置してもよい。
【００５７】
また、前記第３実施形態では、ユニット式建物５１の下階ファサード建物ユニット５６Ａ，５６Ｂ、および上階ファサード建物ユニット５７Ａ，５７Ｂの凹み部Ａ，Ｂが連続する大きな空間となっているが、第２実施形態と同じように、下階ファサード建物ユニット５６Ａ，５６Ｂ、および上階ファサード建物ユニット５７Ａ，５７Ｂに、それぞれ別個のファサードを構成するようにしてもよい。
【００５８】
また、前記各実施形態では、ユニット式建物１，４１，５１の、それぞれのファサード５，４５Ａ，４５Ｂ，５５が、下階ファサード建物ユニット６，４６，５６および上階ファサード建物ユニット７，４７，５７を備えた２階建てのユニット式建物１，４１，５１に設けられていたが、必ずしも２階建てに限らない。例えば、複数の下階建物ユニットと、１個または２個の下階ファサード建物ユニットとを組み合わせて建てられる平屋建てのユニット式建物としてもよく、あるいは３階建てのユニット式建物としてもよい。
【００５９】
また、前記各実施形態では、ユニット式建物１，４１，５１の、それぞれの下階ファサード建物ユニット６，４６，５６および上階ファサード建物ユニット７，４７，５７の凹み部Ａ，Ｂは、各建物ユニット６等の長辺方向の一側面から奥側に凹んだ状態で形成されているが、これに限らない。例えば、下階ファサード建物ユニットの短辺方向の一側面に凹み部を形成するとともに、その下階ファサード建物ユニットを短辺方向に隣接させ、前記第３実施形態と同じように、２つの下階ファサード建物ユニットの凹み部を連続させるような構成としてもよい。このような構成とすれば、凹み部の奥行きを深くとることができ、より変化に富んだユニット式建物とすることができる。
直線状、上部をアーチ状に形成してもよい。
【００６０】
【発明の効果】
以上に説明したように、請求項１の発明によれば、ユニット式建物を構成する複数の建物ユニットのうちの少なくとも一つがファサード建物ユニットとなっており、このファサード建物ユニットにファサードが構成されているので、ユニット式建物を建てる際、他の下階建物ユニット、上階建物ユニット等と組み合わせるだけで、ユニット式建物にファサードを設けることができる。従って、ファサードを構成するのにファサード建物ユニットを用いればよいので、ファサードを作るための複数の部材が不要となって部材点数が少なくてすむとともに、製作や管理が容易となり、取り付け作業性の向上を図ることができる。
【００６１】
請求項２の発明によれば、ファサード建物ユニットに凹み部が形成され、この凹み部を仕切部材等で仕切るとともに、仕切部材等に装飾を施し、凹み部の奥の方に例えば玄関を設ければ、建物の入り口から玄関までに至る部位を、例えば門形になった通路とすることができ、外観の変化に富んだユニット式建物とすることができる。
【００６２】
請求項３の発明によれば、ファサード建物ユニット６の凹み部Ａとファサード建物ユニット７の凹み部７Ｂ同士を連続させて、ファサード建物ユニット６とファサード建物ユニット７とが上下方向に対向配置されるので、上下方向に高さの高い空間を形成することができ、見た目に豪華な感じのファサードを形成することができる。
【００６３】
請求項４の発明によれば、ファサード建物ユニット中央部に、幅方向両側の端部側面を残して形成れた凹み部は、端部側面の幅寸法に対して略３倍〜１０倍の大きさに形成されているので、凹み部の幅寸法が大きくなり、その結果、見た目に豪華な感じのファサードを形成することができる。
【００６４】
請求項５の発明によれば、上下方向に異なった趣のファサードを構成することができ、より変化に富んだ外観のユニット式建物とすることができる。
【００６５】
請求項６の発明によれば、隣接するファサード建物ユニットにわたる大きさの凹み部を形成することができる。そのため、敷地等の関係で、長辺方向の寸法が制限されるようなファサード建物ユニットを使用してユニット式建物を建てる際でも、凹み部の幅寸法を大きく形成することができ、見た目に豪華な感じのファサードを形成することができ、かつ変化に富んだユニット式建物とすることができる。
【００６６】
請求項７の発明によれば、凹み部が、ファサード建物ユニットの長辺方向に形成されているので、長辺方向の寸法が短いものでも、１個のファサード建物ユニットで幅の広いファサードを形成することができる。
【図面の簡単な説明】
【図１】本発明に係るユニット式建物の第１実施形態を示す全体斜視図である。
【図２】前記実施形態のユニット式建物の構成を示す全体平面図である。
【図３】前記実施形態のユニット式建物を構成する建物ユニットのフレームを示す全体斜視図である。
【図４】前記実施形態のユニット式建物を構成する下階ファサード建物ユニットのフレームを示す全体斜視図である。
【図５】前記実施形態のユニット式建物を構成する上階ファサード建物ユニットのフレームを示す全体斜視図である。
【図６】本発明に係るユニット式建物の第２実施形態を示す全体斜視図である。
【図７】本発明に係るユニット式建物の第３実施形態を示す全体斜視図である。
【図８】従来のユニット式建物を示す全体斜視図である。
【符号の説明】
１，４１，５１  ユニット式建物
３              下階建物ユニット
４              上階建物ユニット
５，４５Ａ，４５Ｂ，５５  ファサード
６，４６，５６  下階ファサード建物ユニット
７，４７，５７  上階ファサード建物ユニット
１０            柱
１２            天井梁
１４            床梁
１５，２５，３５  フレーム
Ａ，Ｂ          凹み部
【図１】
2005016052.tif 000003
【図２】
2005016052.tif 000004
【図３】
2005016052.tif 000005
【図４】
2005016052.tif 000006
【図５】
2005016052.tif 000007
【図６】
2005016052.tif 000008
【図７】
2005016052.tif 000009
【図８】
2005016052.tif 000010